(57)【要約】【課題】治具盤の溝部とフェルール押え板との間に光コネクタプラグを差し込んだ際に、当該光コネクタプラグを常時安定した状態で保持しておくことができるようにする。【解決手段】フェルールＦを支持する内面略Ｕ字形状の溝部２ａ、２ｂを側端面に形成し、フェルールＦを研磨する研磨板Ｑと対向するように配置する治具盤１と、前記溝部２ａ、２ｂに差し込んだフェルールＦを治具盤１との間で挟持するよう当該溝部２ａ、２ｂに係合してフェルールＦの他の箇所を支持可能とする係合突起５ａ、５ｂを前端面に設けて成るフェルール押え板５とを備える。また、略Ｕ字形状の溝部２ａ、２ｂとして少なくとも３点箇所でフェルールＦを支持する内面多角形状の溝部２ａ、２ｂを含むものとする。【選択図】図３
2011121129.tif 000002
【特許請求の範囲】
【請求項１】
フェルールを支持する内面略Ｕ字形状の溝部が側端面に形成され、フェルールを研磨する研磨板と対向するように配置される治具盤と、前記溝部に差し込まれたフェルールを治具盤との間で挟持するよう当該溝部に係合してフェルールの他の箇所を支持可能とする係合突起を前端面に設けて成るフェルール押え板とを備えていることを特徴とする光コネクタプラグの研磨装置。
【請求項２】
略Ｕ字形状の溝部として少なくとも３点箇所でフェルールを支持する内面多角形状の溝部を含む請求項１記載の光コネクタプラグの研磨装置。
【請求項３】
フェルール押え板は、前記溝部に差し込まれたフェルールを治具盤との間で挟持するよう当該溝部に係合してフェルールの他の箇所を支持可能とする平板状の係合突起を前端面に設けて成る請求項１または２記載の光コネクタプラグの研磨装置。
【請求項４】
フェルール押え板は、前記溝部に差し込まれたフェルールを治具盤との間で挟持するよう当該溝部に係合してフェルールの他箇所を支持可能とする内面円弧状の係合突起を前端面に設けて成る請求項１または２記載の光コネクタプラグの研磨装置。
【請求項５】
治具盤は、平面多角形に成形されており、前記溝部に対応して前記係合突起を設けたフェルール押え板が各辺に対応して配置されている請求項１乃至４のいずれかに記載の光コネクタプラグの研磨装置。
【発明の詳細な説明】
【技術分野】
【０００１】
本発明は、光コネクタプラグにおけるフェルールの先端を所定形状に研磨するために使用する光コネクタプラグの研磨装置に関する。
【背景技術】
【０００２】
光通信に用いられている光コネクタプラグＰは、図６に示すように、光ファイバの先端が軸方向に挿入されるフェルールＦと、フェルールＦを光コネクタアダプタ等の機器に取り付けるためにフェルールＦの外側に取り付けられたフランジＧとを備えている。この光コネクタプラグＰでは、２個のフェルールＦの先端を互いに突き合わせることにより、光ファイバの接続が行われる。このとき、接続される光ファイバの直接接触を可能にするため、フェルールＦの先端が例えば凸球面等の所定形状となるように研磨加工することが行われている。
【０００３】
このため、従来による研磨装置では、図７（ａ）に示すように、フェルールＦ周面の２点箇所を支持するＶ溝１２ａが側端面１２に形成され、フェルールＦを研磨する研磨板Ｑと対向するように配置される治具盤１１と、前記Ｖ溝１２ａに差し込まれたフェルールＦを治具盤１１との間で挟持する平板状のフェルール押え板１５とを備えている。そして、治具盤１１を研磨板Ｑに対して回転させることにより、フェルールのＦ先端が研磨板Ｑと接触しながら摺動するため、フェルールＦの先端を凸球面等に研磨することができる。
【先行技術文献】
【特許文献】
【０００４】
【特許文献１】特になし
【発明の概要】
【発明が解決しようとする課題】
【０００５】
しかしながら、従来における研磨装置では、差し込んだ光コネクタプラグＰを安定した固定状態とすることが難しく、研磨加工中に光コネクタプラグＰが位置ずれしたり、回転ずれし易く、これにより、高精度な凸球面を画一的に加工することができない問題があった。
【０００６】
すなわち、従来の研磨装置は、図７（ａ）に示すように、治具盤１１のＶ溝１２ａによる２点支持と、平板状のフェルール押え板１５による１点支持との合計３点支持による構成であることから、光コネクタプラグＰの安定した保持状態が維持されず、図７（ｂ）に示すように、セット時あるいは研磨中等にＶ溝１２ａ内で光コネクタプラグＰが横に傾いたり、倒れる虞があった。
【０００７】
また、治具盤１１のＶ溝１２ａと平板状のフェルール押え板１５とによって挟持されたフェルールＦの周囲に生じる隙間Ｓの面積が当該Ｖ溝１２ａであることに起因してかなり大きいものとなるため、フェルールＦ先端の研磨中において、研磨滓がフェルールＦ周囲の隙間Ｓ内に浸入して溜まることで、Ｖ溝１２ａ内が汚れたり、研磨中に光コネクタプラグＰを安定に保持しておくことが困難な状態になってしまう虞があった。
【０００８】
そこで、本発明は、叙上のような従来存した諸事情に鑑み案出されたもので、治具盤の溝部とフェルール押え板との間に光コネクタプラグを差し込んだ際には当該光コネクタプラグを常時安定した状態で保持させることができ、研磨加工中に光コネクタプラグが位置ずれしたり、回転ずれしたりすることなく、高精度な凸球面を画一的に加工することができると同時に、治具盤の溝部とフェルール押え板との間に挟まれているフェルールの周囲に生じる隙間から研磨滓が浸入し貯留してしまうのを未然に防止でき、溝部内が汚れたり、研磨中に光コネクタプラグが不安定な保持状態とならないようにすることができる光コネクタプラグの研磨装置を提供することを目的とする。
【課題を解決するための手段】
【０００９】
上述した課題を解決するために、本発明にあっては、フェルールを支持する内面略Ｕ字形状の溝部が側端面に形成され、フェルールを研磨する研磨板と対向するように配置される治具盤と、前記溝部に差し込まれたフェルールを治具盤との間で挟持するよう当該溝部に係合してフェルールの他の箇所を支持可能とする係合突起を前端面に設けて成るフェルール押え板とを備えていることを特徴とする。
【００１０】
略Ｕ字形状の溝部として少なくとも３点箇所でフェルールを支持する内面多角形状の溝部を含む構成とする。
【００１１】
フェルール押え板は、前記溝部に差し込まれたフェルールを治具盤との間で挟持するよう当該溝部に係合してフェルールの他の箇所を支持可能とする平板状の係合突起を前端面に設けて成る。
【００１２】
フェルール押え板は、前記溝部に差し込まれたフェルールを治具盤との間で挟持するよう当該溝部に係合してフェルールの他箇所を支持可能とする内面円弧状の係合突起を前端面に設けて成る。
【００１３】
また、治具盤は、平面多角形に成形されており、前記溝部に対応して前記係合突起を設けたフェルール押え板が各辺に対応して配置されている構成とする。
【発明の効果】
【００１４】
本発明によれば、治具盤の溝部とフェルール押え板との間に光コネクタプラグを差し込んだ際には当該光コネクタプラグを常時安定した状態で垂直に保持させることができ、研磨加工中に光コネクタプラグが位置ずれしたり、回転ずれしたりすることなく、高精度な凸球面を画一的に加工することができると同時に、治具盤の溝部とフェルール押え板との間に挟まれているフェルールの周囲に生じる隙間から研磨滓が浸入し貯留してしまうのを相当程度防止でき、溝部内の汚れや、研磨中に光コネクタプラグが不安定な保持状態とならないようにすることができる。
【００１５】
すなわち、フェルールを支持する内面略Ｕ字形状の溝部が側端面に形成され、フェルールを研磨する研磨板と対向するように配置される治具盤と、前記溝部に差し込まれたフェルールを治具盤との間で挟持するよう当該溝部に係合してフェルールの他の箇所を支持可能とする係合突起を側端面に設けて成るフェルール押え板とを備えているので、治具盤の溝部での支持と、フェルール押え板の係合突起による支持とが同時に可能となり、光コネクタプラグの安定した保持状態が維持可能となる。また、治具盤の溝部が内面略Ｕ字形状であることから、当該溝部とフェルール押え板との間に挟まれているフェルールの周囲に生じる隙間を極力小さくすることができ、当該隙間内に研磨滓が浸入し貯留してしまうのを相当程度防止することができる。
【００１６】
略Ｕ字形状の溝部として内面多角形状の溝部を含む構成としたので、治具盤の内面多角形状の溝部による支持と、フェルール押え板の係合突起による支持とにより、光コネクタプラグの安定した保持状態が維持可能となる。
【００１７】
フェルール押え板は、前記溝部に差し込まれたフェルールを治具盤との間で挟持するよう当該溝部に係合してフェルールの他の箇所を支持可能とする平板状の係合突起を側端面に設けて成るので、治具盤の溝部による支持と同時に、フェルール押え板の係合突起による他の箇所での支持が可能となり、これにより、光コネクタプラグの安定した保持状態が維持可能となる。
【００１８】
また、フェルール押え板は、前記溝部に差し込まれたフェルールを治具盤との間で挟持するよう当該溝部に係合してフェルールの他の略半円弧面箇所を支持可能とする内面円弧状の係合突起を側端面に設けて成るので、治具盤の溝部による略半円弧面箇所での支持と同時に、フェルール押え板の係合突起による他の略半円弧面箇所での支持が可能となり、これにより、光コネクタプラグの安定した保持状態が維持可能となる。また、治具盤の溝部が内面略Ｕ字状であり、且つフェルール押え板の係合突起が内面円弧状であることから、当該溝部とフェルール押え板との間に挟まれているフェルールの周囲に生じる隙間を極力無くすことができる。これにより、従来のように隙間内に研磨滓が浸入し貯留することで溝部内を汚したり、光コネクタプラグが不安定な保持状態となってしまうのを防止することができる。
【００１９】
さらに、治具盤は、平面多角形に成形されており、前記溝部に対応して係合突起を設けたフェルール押え板が各辺に対応して配置されているので、治具板に対して複数の光コネクタプラグを保持させることができる。これにより、複数の光コネクタプラグに対して同時に研磨加工を施すことができ、処理能力を増大させることが可能となる。しかも、このときにおいても、光コネクタプラグを常時安定した状態で保持させることができ、研磨加工中に光コネクタプラグが位置ずれしたり、回転ずれしたりすることなく、高精度な凸球面を画一的に加工することができると同時に、治具盤の溝部とフェルール押え板との間に挟まれているフェルールの周囲に生じる隙間から研磨滓が浸入し貯留してしまうのを極力防止でき、溝部内の汚れや、研磨中に光コネクタプラグが不安定な保持状態とならないようにすることができる。
【図面の簡単な説明】
【００２０】
【図１】本発明を実施するための一形態における研磨装置の一例を示す一部省略の分解斜視図である。
【図２】同じく多角形構造の治具盤の一例を示す一部切欠平面図である。
【図３】同じく研磨装置の使用状態を拡大した平断面図である。
【図４】同じく溝部と係合突起とによってフェルールを挟持させた状態を示すもので、（ａ）は拡大平断面図、（ｂ）は（ａ）のＸ−Ｘ断面図である。
【図５】同じく溝部と係合突起とによってフェルールを挟持させた状態の他例を示すもので、（ａ）は拡大平断面図、（ｂ）は（ａ）のＹ−Ｙ断面図である。
【図６】同じく光コネクタプラグの構成例を示す正面図である。
【図７】従来例における研磨装置を示すもので、（ａ）は溝部と係合突起とによってフェルールを挟持させた状態を示す拡大平断面図、（ｂ）は（ａ）のＺ−Ｚ断面図である。
【発明を実施するための形態】
【００２１】
以下、図面を参照して本発明の実施の一形態を詳細に説明すると、本形態の研磨装置は、図１に示すように、治具盤１と、フェルール押え板５とを備えており、全体がＳＵＳ、アルミニウム合金等の金属により形成されている。そして、治具盤１は、研磨板Ｑと対向した上方に固定配置されるものであり、フェルール押え板５によって治具盤１に固定保持された光コネクタプラグＰのフェルールＦ先端を、揺動回転する研磨板Ｑによっ研磨加工するものである。
【００２２】
尚、治具盤１の略中央部上面には、１８０度反対側に切欠部が形成された不図示の支持駒がねじによって固定されている。この支持駒の両切欠部へ支持部材（図示しない）が係合固定されることにより治具盤１は所定の位置に固定状態で配置されるものである。
【００２３】
また、光コネクタプラグＰは、図６に示すように、光ファイバの先端が軸方向に挿入されるフェルールＦと、フェルールＦを光コネクタアダプタ等の機器に取り付けるためにフェルールＦの外側に取り付けられたフランジＧとを備えている。
【００２４】
図２に示すように、治具盤１は平面から見て正十二角形に形成されており、各側端面２には、フェルールの少なくとも３点箇所を支持する内面略Ｕ字形状の溝部２ａ、２ｂが当該側端面２に形成されている。例えば、図３および図４（ａ）に示すように、フェルールＦの円周面に沿っての５点箇所を支持するために、内面五角形状の溝部２ａ、２ｂが当該側端面２の左右対称位置に形成されている。
【００２５】
尚、内面五角形状の溝部２ａ、２ｂとする代わりに、フェルールＦの円周面に沿っての３点箇所を支持する内面コ字形状の溝部２ａ、２ｂが当該側端面２の左右対称位置に形成されていても良い。
【００２６】
フェルール押え板５を対応した側端面２の定位置に取り付けるため、フェルール押え板５の前端面の左右対称位置には、溝部２ａ、２ｂの横幅および縦幅に対応した大きさの先端が矩形平坦面となった左右一対の係合突起５ａ、５ｂが突設されている。このとき、図４（ｂ）に示すように、フェルールＦ上部に形成されている下面円錐状となったフランジＧが溝部２ａ、２ｂおよび係合突起５ａ、５ｂの上端縁によって支持される状態となるようにしてある。
【００２７】
また、治具盤１の各側端面２には、図１、図２、図３に示すように、フェルール押え板５の左右一対の円孔状のガイド孔６ａ、６ｂに挿入される丸棒状のガイドピン３ａ、３ｂが突出している。尚、ガイド孔６ａ、６ｂを角孔状とし、これに対応してガイドピン３ａ、３ｂを角棒状としても良い。さらに、治具盤１の各側端面２にガイド孔６ａ、６ｂを設け、フェルール押え板５の前端面の左右対称位置にガイドピン３ａ、３ｂが突出されていても良い。このフェルール押え板５の治具盤１への固定は、例えば六角レンチ使用の固定用ビス８を、フェルール押え板５および治具盤１に形成されている各ネジ孔７、４にねじ込ませることで行われる。
【００２８】
また、図５（ａ）、図５（ｂ）には、研磨装置の他例が示されており、この場合、治具盤１の側端面２に設けられている溝部２ａ、２ｂを、フェルールＦの略半円弧面箇所を支持可能とするよう内面が滑らかなＵ字形状となって形成してある。そして、この溝部２ａ、２ｂに対向して、フェルール押え板５の係合突起５ａ、５ｂの先端面を、フェルールＦの他の略半円弧面箇所を支持可能とするよう内面円弧状に形成してある。
【００２９】
尚、治具盤１の各側端面２のガイドピン３ａ、３ｂ、フェルール押え板５のガイド孔６ａ、６ｂ、フェルール押え板５の治具盤１への固定用ビス８による固定等は、上記した構成と同じであるので、その詳細な説明を省略する。
【００３０】
こうして、図５（ａ）に示すように、内面Ｕ字形状の溝部２ａ、２ｂと、内面円弧状の係合突起５ａ、５ｂとによってフェルールＦの略全周面が支持されるものとなると同時に、係合突起５ａ、５ｂの高さおよび横幅の設定によって、溝部２ａ、２ｂと係合突起５ａ、５ｂとの間に挟まれているフェルールＦの周囲に生じる隙間Ｓを極力無くすように構成することができる。
【００３１】
次に、以上のように構成された形態についての組立、使用の一例について説明すると、先ず、図１に示すように、固定用ビス８を緩めることで治具盤１とフェルール押え板５との間の隙間Ｓを開いておく。そして、治具盤１の上方から各溝部２ａ、２ｂ内に、左右一対の光コネクタプラグＰの各フェルールＦ部分をそれぞれ挿入し、固定用ビス８を回転させて再度締め付けることでフェルールＦを垂直に固定する。このとき、図４（ｂ）に示すように、フェルールＦ上部に形成されている下面円錐状となったフランジＧが溝部２ａ、２ｂおよび係合突起５ａ、５ｂの上端縁によって支持された状態となる（ＬＣコネクタの場合）。
【００３２】
図３、図４（ａ）に示すように、内面五角形構造の溝部２ａ、２ｂにあっては、当該溝部２ａ、２ｂによってフェルールＦの周面の５点箇所が支持され、フェルール押え板５の係合突起５ａ、５ｂによる１点支持と合わせて合計６点で支持された状態となる。
【００３３】
一方、図５（ａ）に示すように、内面Ｕ字形構造の溝部２ａ、２ｂにあっては、当該溝部２ａ、２ｂによってフェルールＦの周面の略半円弧面箇所が支持され、フェルール押え板５の内面円弧状の係合突起５ａ、５ｂによる支持と合わせて、フェルールＦの略全周面が支持される状態となる。
【００３４】
そして、図４（ｂ）、図５（ｂ）に示すように、フェルール押え板５によって治具盤１に固定保持された光コネクタプラグＰのフェルールＦ先端を、揺動回転する研磨板Ｑによって研磨加工する。このとき、図４（ａ）、図４（ｂ）に示すように、治具盤１の内面五角形構造の溝部２ａ、２ｂと、フェルール押え板５の平板状の係合突起５ａ、５ｂとによる合計６点支持によって、光コネクタプラグＰの安定した保持状態が維持可能となり、研磨中に光コネクタプラグＰが位置ずれしたり、回転ずれしたりすることなく、高精度な凸球面を画一的に加工することができる。
【００３５】
一方、治具盤１の溝部２ａ、２ｂが内面Ｕ字形状であり、且つフェルール押え板５の係合突起５ａ、５ｂが内面円弧状である場合には、当該溝部２ａ、２ｂとフェルール押え板５との間に挟まれているフェルールＦの周囲に生じる隙間Ｓを極力無くすことができ、これにより、治具盤１の溝部２ａ、２ｂとフェルール押え板５との間に挟まれているフェルールＦの周囲の隙間Ｓから研磨滓が浸入し貯留してしまうのを相当程度防止することができる。
【００３６】
例えば、治具盤１を三角形、四角形、六角形、八角形等の正十二角形以外の多角形とすることかできる。また、溝部２ａ、２ｂは光コネクタプラグＰのフェルールＦが係合した状態で挿入されれば良く、このため、光コネクタプラグＰのフランジＧが挿入される溝形状を溝部２ａ、２ｂの内面に形成しても良い。
【符号の説明】
【００３７】
Ｐ          光コネクタプラグ
Ｑ          研磨板
Ｇ          フランジ
Ｆ          フェルール
Ｓ          隙間
１          治具盤
２          側端面
２ａ、２ｂ  溝部
３ａ、３ｂ  ガイドピン
４          ネジ孔
５          フェルール押え板
５ａ、５ｂ  係合突起
６ａ、６ｂ  ガイド孔
７          ネジ孔
８          固定用ビス
１１        治具盤
１２        前端面
１２ａ      Ｖ溝
１５        フェルール押え板
【図１】
2011121129.tif 000003
【図２】
2011121129.tif 000004
【図３】
2011121129.tif 000005
【図４】
2011121129.tif 000006
【図５】
2011121129.tif 000007
【図６】
2011121129.tif 000008
【図７】
2011121129.tif 000009